(57)【要約】【課題】本発明は、複数の一次色からなる多次色であっても色味があまり変化しないようなトナーセーブを実現することを目的とする。【解決手段】画像形成装置１００の動作モードには少なくとも、トナーの消費量を抑制するトナーセーブモードと、トナーの消費量を抑制しない通常モードとがある。画像処理部１１０は、画像読取部１０１から入力される画像信号に応じた色情報を、或る色空間における色情報から別の色空間における色情報へと変換して出力する。トナーセーブモードにて色情報が変換される際にその色情報が表す色が一次色である場合には、トナーの消費量の抑制率乃至抑制量が大きくなるような変換がなされるようになっている。【選択図】図１
2009033341.tif 000002
【特許請求の範囲】
【請求項１】
画像信号が入力される入力手段と、
前記入力手段に入力された画像信号に応じた色情報を、或る色空間における色情報から別の色空間における色情報へと変換して出力する変換手段とを備え、
前記変換手段は、
前記画像信号によって表される色を再現するのに用いる画形材の消費量を抑制する動作モードにおいて、
前記画像信号によって表わされる色が、前記画形材の色に対応する色空間における一次色である場合には、前記画像信号によって表わされる色が前記色空間における多次色である場合よりも、前記画形材の消費量の抑制率乃至抑制量が大きくなるような色情報へと変換する
ことを特徴とする画像処理装置。
【請求項２】
前記変換手段は、前記画像信号によって表わされる色が前記一次色である場合には、前記或る色空間における色情報を、その色情報が表す色の彩度を低くして前記別の色空間における色情報へと変換する
ことを特徴とする請求項１記載の画像処理装置。
【請求項３】
前記変換手段は、前記画像信号によって表わされる色が前記一次色である場合には、前記或る色空間における色情報を、その色情報が表す色の明度を高くして前記別の色空間における色情報へと変換する
ことを特徴とする請求項１記載の画像処理装置。
【請求項４】
前記変換手段は、入力された前記画像信号の値に応じた色情報を、第１の色空間における色情報から第２の色空間における色情報へとマトリクス演算方式で変換するときに、そのマトリクス演算に用いる係数に従って前記変換を行う
ことを特徴とする請求項１記載の画像処理装置。
【請求項５】
前記変換手段は、入力された前記画像信号の値に応じた色情報を、第２の色空間における色情報から第３の色空間における色情報へとルックアップテーブル方式で変換するときに、そのルックアップテーブルに記述されたパラメータに従って前記変換を行う
ことを特徴とする請求項１記載の画像処理装置。
【請求項６】
前記画形材は、有彩色の複数のトナーと、黒色のトナーからなり、
前記複数の有彩色のトナーを重ねることで再現する灰色を前記黒色のトナーによって再現する割合を、前記画形材の消費量を抑制する動作モードにおいては高くし、前記画形材の消費量を抑制しない動作モードにおいては低くする手段をさらに有する
ことを特徴とする請求項１記載の画像処理装置。
【請求項７】
請求項１〜６のいずれか１項に記載の画像処理装置と、
前記変換手段によって出力される色情報に基づいて画像を記録媒体に形成する画像形成手段と
を備えることを特徴とする画像形成装置。
【請求項８】
画像データによって表わされる色が、前記画形材の色に対応する色空間における一次色である場合には、前記画像データによって表わされる色が前記色空間における多次色である場合よりも、前記画形材の消費量の抑制率乃至抑制量が大きくなるように前記画像データを処理することを特徴とする画像処理方法。
【発明の詳細な説明】
【技術分野】
【０００１】
本発明は、画像を形成するときに用いる画形材の消費量を抑制する技術に関する。
【背景技術】
【０００２】
ページプリンタ、ディジタル複写機或いはファクシミリ装置などの画像形成装置においては、トナー（画形材）を節約するトナーセーブモードと呼ばれる動作モードがある。例えば特許文献１には、色変換処理とともにトナーセーブ処理を行い、そのトナーセーブ処理のオン／オフの切り替えに応じて、出力機器側で使用するガンマテーブルを切り替えてトナーセーブ処理を行う技術が開示されている。
【特許文献１】特開２００３−２９５７０１号公報
【発明の開示】
【発明が解決しようとする課題】
【０００３】
特許文献１に記載された技術では、トナーの消費量を抑制することができるものの、ＣＭＹＫやＲＧＢの各々の一次色に対して個別にトナーセーブ率を設定しているので、２種類の一次色からなる二次色では色味が変わってしまうとか、複数の一次色からなるオレンジなどの多次色では色差がなくなってしまうなどの、二次的な問題が発生する。
本発明は、上記のような二次的な問題が発生しにくい画像形成を実現することを目的とする。
【課題を解決するための手段】
【０００４】
本発明は、画像信号が入力される入力手段と、前記入力手段に入力された画像信号に応じた色情報を、或る色空間における色情報から別の色空間における色情報へと変換して出力する変換手段とを備え、前記変換手段は、前記画像信号によって表される色を再現するのに用いる画形材の消費量を抑制する動作モードにおいて、前記画像信号によって表わされる色が、前記画形材の色に対応する色空間における一次色である場合には、前記画像信号によって表わされる色が前記色空間における多次色である場合よりも、前記画形材の消費量の抑制率乃至抑制量が大きくなるような色情報へと変換することを特徴とする画像処理装置を提供する。
【０００５】
前記変換手段は、前記画像信号によって表わされる色が前記一次色である場合には、前記或る色空間における色情報を、その色情報が表す色の彩度を低くすることで、前記別の色空間における色情報へと変換するようにしてもよい。また、前記変換手段は、前記画像信号によって表わされる色が前記一次色である場合には、前記或る色空間における色情報を、その色情報が表す色の明度を高くすることで、前記別の色空間における色情報へと変換するようにしてもよい。
【０００６】
また、前記変換手段は、入力された前記画像信号の値に応じた色情報を、第１の色空間における色情報から第２の色空間における色情報へとマトリクス演算方式で変換するときに、そのマトリクス演算に用いる係数に従って前記変換を行うようにしてもよい。また、前記変換手段は、入力された前記画像信号の値に応じた色情報を、第２の色空間における色情報から第３の色空間における色情報へとルックアップテーブル方式で変換するときに、そのルックアップテーブルに記述されたパラメータに従って前記変換を行うようにしてもよい。
【０００７】
さらに、前記画形材は、有彩色の複数のトナーと、黒色のトナーからなる場合、前記複数の有彩色のトナーを重ねることで再現する灰色を前記黒色のトナーによって再現する割合を、前記画形材の消費量を抑制する動作モードにおいては高くし、前記画形材の消費量を抑制しない動作モードにおいては低くする手段を有するようにしてもよい。
【０００８】
また、本発明は、上記のいずれかの画像処理装置と、前記変換手段によって出力される色情報に基づいて画像を記録媒体に形成する画像形成手段とを備えることを特徴とする画像形成装置であってもよい。
【０００９】
また、本発明は、画像データによって表わされる色が、画形材の色に対応する色空間における一次色である場合には、画像データによって表わされる色が、前記色空間における多次色である場合よりも、前記画形材の消費量の抑制率乃至抑制量が大きくなるように前記画像データを処理することを特徴とする画像形成方法を提供する。
【発明を実施するための最良の形態】
【００１０】
図１は、本実施形態に係る画像形成装置１００の構成を示す図である。
画像形成装置１００は、画像読取部１０１と、第１色変換部１０２と、第２色変換部１０３と、画像形成部１０４とを備えている。第１色変換部１０２と第２色変換部１０３によって画像処理部１１０が構成されている。この画像形成装置１００の動作モードには少なくとも、トナーの消費量を抑制するトナーセーブモードと、トナーの消費量を抑制しない通常モードとがあり、これらの動作モードが、図示せぬ操作部におけるユーザの操作に応じて、画像処理部１１０により切り替えられる。画像処理部１１０は、画像読取部１０１から入力される画像信号に応じた色情報を、或る色空間における色情報から別の色空間における色情報へと変換して出力する手段として機能する。トナーセーブモードにて色情報が変換される際に、その色情報が表す色が一次色である場合には、この画像処理部１００により、トナーの消費量の抑制率乃至抑制量が大きくなるような変換がなされるようになっている。
【００１１】
画像読取部１０１は、図示せぬプラテンガラスやＣＣＤ（Charge Coupled Device）イメージセンサなどを備えており、プラテンガラスに置かれた原稿に光を照射してその反射光をＣＣＤイメージセンサによって受光し、その受光強度に応じたＲ（レッド），Ｇ（グリーン），Ｂ（ブルー）の画像信号を出力する。この画像信号は、画像読取部１０１の性能や仕様に固有のＲＧＢの色空間における色を表している。この画像信号は、図示せぬ前処理部によって、シェーディング補正やＭＴＦ補正がなされた後に、１次元の階調補正ＬＵＴ（Look Up Tabel）を用いた等価中間明度補正などの各種の補正処理がなされてから、第１色変換部１０２に入力される。
【００１２】
第１色変換部１０２においては、入力された画像信号に応じて、各画素のＲ，Ｇ，Ｂの階調値をそれぞれ８ビットで表現した色情報が、図示せぬページメモリに順次記憶される。第１色変換部１０２は、そのページメモリから読み出したＲＧＢの色情報を、そのＲＧＢの色空間（第１の色空間）における色情報から、Ｌ*ａ*ｂ*の色空間（第２の色空間）における色情報へと、マトリクス演算方式で変換する。ＲＧＢの色情報は前述のとおり、デバイスとしての画像読取部１０１に固有の色情報であるが、このＬ*ａ*ｂ*の色空間における色情報は、デバイスに依存しない色情報である。
【００１３】
第１色変換部１０２のマトリクス演算に用いられる係数は、濃度が一様なパッチ画像の測色値（Ｌ*ａ*ｂ*の色空間で表された値）と、用紙などに形成したそのパッチ画像を画像読取部１０１によって実際に読み取った結果（ＲＧＢの色空間で表された値）との対応関係に基づいて、予め用意されたものである。この係数には、通常モード（つまりトナーセーブモードが選択されてないときの動作モード）において用いられる係数と、トナーセーブモードにおいて用いられる係数との２種類がある。通常モードで用いられる係数は、パッチ画像の測色値とそのパッチ画像の読み取り結果とを一致させるような係数である。一方、トナーセーブモードで用いられる係数は、パッチ画像の測色値とそのパッチ画像の読み取り結果とが完全には一致しないものの、トナーの消費量を抑制する効果のある係数である。
【００１４】
ここで、図２は、ＲＧＢの色情報をＬ*の色情報に変換するためのマトリクス演算回路１０２-1の構成を示す図であり、図３は、ＲＧＢの色情報をａ*の色情報に変換するためのマトリクス演算回路１０２-2の構成を示す図であり、図４は、ＲＧＢの色情報をｂ*の色情報に変換するためのマトリクス演算回路１０２-3の構成を示す図である。
図２に示すように、Ｌ*用のマトリクス演算回路１０２-1は、それぞれ８ビットのＲ，Ｇ，Ｂの階調値を各々二乗する３つの乗算器１０２-1ａと、Ｂの階調値とＧの階調値、Ｇの階調値とＲの階調値、Ｒの階調値とＢの階調値をそれぞれ乗算する３つの乗算器１０２-1ｂと、Ｒ，Ｇ，Ｂの階調値、乗算器１０２-1ａの乗算結果及び乗算器１０２-1ｂの乗算結果のそれぞれに対して係数ａ11〜ａ19を乗算する９つの乗算器１０２-1ｃと、乗算器１０２-1ｃの乗算結果を全て加算する加算器１０２-1ｄと、加算器１０２-1ｄの加算結果を丸めて８ビットの色情報Ｌ*として出力する丸め器１０２-1ｅとを備えている。
【００１５】
Ｌ*用のマトリクス演算回路１０２-1は、この係数ａ11〜ａ19として、２種類のものを記憶している。１つは、ＲＧＢの色情報によって表わされる色がＹＭＣＫの色空間における一次色である場合に用いる係数ａ11〜ａ19である。この係数のことを、「一次色用係数」と呼ぶ。もう１つは、ＲＧＢの色情報によって表わされる色がＹＭＣＫの色空間における多次色である場合に用いる係数である。この係数のことを、「多次色用係数」と呼ぶ。ここでいう「一次色」とは、Ｙ（イエロー），Ｍ（マゼンダ），Ｃ（シアン），Ｋ（ブラック）のトナーをそれぞれ単独で用いて表現される色、即ちイエロー、マゼンダ、シアン、ブラックのそれぞれの色そのもののことである。一方、多次色とは、Ｙ，Ｍ，Ｃ，Ｋのうち少なくともいずれか２種類以上のトナーを用いて表現される色のことである。
【００１６】
次に、図３に示すように、ａ*用のマトリクス演算回路１０２-2は、それぞれ８ビットのＲ，Ｇ，Ｂの階調値を各々二乗する３つの乗算器１０２-2ａと、Ｂの階調値とＧの階調値、Ｇの階調値とＲの階調値、Ｒの階調値とＢの階調値をそれぞれ乗算する３つの乗算器１０２-2ｂと、Ｒ，Ｇ，Ｂの階調値、乗算器１０２-2ａの乗算結果及び乗算器１０２-2ｂの乗算結果のそれぞれに対して係数ａ21〜ａ29を乗算する９つの乗算器１０２-2ｃと、乗算器１０２-2ｃの乗算結果を全て加算する加算器１０２-2ｄと、加算器１０２-2ｄの加算結果を丸めて８ビットの色情報ａ*として出力する丸め器１０２-2ｅとを備えている。このａ*用のマトリクス演算回路１０２-2も、Ｌ*用のマトリクス演算回路１０２-1と同様に、係数ａ21〜ａ29として、ＲＧＢの色情報によって表わされる色がＹＭＣＫの色空間における一次色である場合に用いる係数（一次色用係数）と、多次色である場合に用いる係数（多次色用係数）とを記憶している。
【００１７】
また、図４に示すように、ｂ*用のマトリクス演算回路１０２-3は、それぞれ８ビットのＲ，Ｇ，Ｂの階調値を各々二乗する３つの乗算器１０２-3ａと、Ｂの階調値とＧの階調値、Ｇの階調値とＲの階調値、Ｒの階調値とＢの階調値をそれぞれ乗算する３つの乗算器１０２-3ｂと、Ｒ，Ｇ，Ｂの階調値、乗算器１０２-3ａの乗算結果及び乗算器１０２-3ｂの乗算結果のそれぞれに対して係数ａ31〜ａ39を乗算する９つの乗算器１０２-3ｃと、乗算器１０２-3ｃの乗算結果を全て加算する加算器１０２-3ｄと、加算器１０２-3ｄの加算結果を丸めて８ビットの色情報ｂ*として出力する丸め器１０２-3ｅとを備えている。このｂ*用のマトリクス演算回路１０２-3は、Ｌ*用のマトリクス演算回路１０２-1と同様に、係数ａ31〜ａ39として、ＲＧＢの色情報によって表わされる色がＹＭＣＫの色空間における一次色である場合に用いる係数（一次色用係数）と、多次色である場合に用いる係数（多次色用係数）とを記憶している。
【００１８】
図２〜図４のマトリクス演算回路１０２-1〜１０２-3による演算を行列式にまとめると、（Ａ）式のようになる。
【数１】
2009033341.tif 000003
【００１９】
多次色用係数である係数ａ11〜ａ19、ａ21〜ａ29及びａ31〜ａ39の値は、前述した通常モードで用いられる係数と同じ値であってもよい。また、ＲＧＢの色情報からＹＭＣＫの色情報に変換したとしても色味がほとんど変化しない範囲で、多少のトナー削減が可能な値の係数であってもよい。
【００２０】
一方、一次色用係数である係数ａ11〜ａ19、ａ21〜ａ29及びａ31〜ａ39は、つぎのような特徴を持つ。
まず、一次色用係数である係数ａ11〜ａ19は、多次色用係数ａ11〜ａ19よりも値が大きい。次に、一次色用係数である係数ａ21〜ａ29及び係数ａ31〜ａ39は、多次色用係数ａ21〜ａ29及び係数ａ31〜ａ39よりも値が小さい。従って、ＲＧＢの色情報によって表わされる色がＹＭＣＫの色空間における一次色である場合には、係数ａ11〜ａ19はより大きく、係数ａ21〜ａ29及び係数ａ31〜ａ39はより小さいから、（Ａ）式から、ＲＧＢの色情報は、より大きいＬ*で、且つ、より小さいａ*ｂ*の色情報に変換される。一次色においてＬ*が大きい、つまり明度が大きいということは、トナーの濃度が低い、つまり現像に使用されるトナーの量が少ないということになるから、トナー量を削減することができる。また、一次色においてａ*ｂ*が小さい、つまり彩度が小さいということも、トナーの濃度が低い、つまり現像に使用されるトナーの量が少ないということになるから、トナー量を削減することができる。また、一次色においては、その明度を大きくしたり又はその彩度を小さくしたとしても、色味はほとんど変化しないから、人間の目には、色がそれほど大きく変化したようには見えない。例えばイエローのトナー濃度を大きくしても小さくしても、人間の目にはほぼ同じような黄色に見える。従って、一次色用係数ａ11〜ａ19をより大きく、又は、一次色用ａ21〜ａ29及び係数ａ31〜ａ39をより小さくすることで、色味を変化させることなく、トナーの消費量の抑制率乃至抑制量を大きくすることが可能となる。
【００２１】
上述したように第１色変換部１０２の変換によって得られた色情報は、第２色変換部１０３に入力される。この第２色変換部１０３は、Ｌ*ａ*ｂ*の色空間（第２の色空間）における色情報を、ＹＭＣＫの色空間（第３の色空間）における色情報へと、ＤＬＵＴ（ダイレクトルックアップテーブル）を用いて変換する。このＤＬＵＴは、互いに直交するＬ*軸、ａ*軸、ｂ*軸によって表現された３次元空間において、離散的なＬ*，ａ*，ｂ*の格子点（パラメータ）に対してＹＭＣＫの格子点（パラメータ）が配置された構造である。例えば、９×９×９のＤＬＵＴであれば、計７２９個の格子点が格納されており、また、１７×１７×１７のＤＬＵＴであれば、計４９１３個の格子点が格納されている。そして、隣り合う格子点と格子点の間にあるＬ*ａ*ｂ*に対しては、補間演算によってＹＭＣＫの値を求めるというものである
【００２２】
このＤＬＵＴに記述された格子点（パラメータ）には、上述した第１色変換部１０２における係数と同様に、通常モードにて用いられる格子点（パラメータ）と、トナーセーブモードにて用いられる格子点（パラメータ）とがある。通常モードで用いられる格子点は、パッチ画像の測色値とそのパッチ画像の読み取り結果とを一致させるような格子点である。一方、トナーセーブモードで用いられる格子点は、パッチ画像の測色値とそのパッチ画像の読み取り結果とが完全には一致しないものの、トナー量を削減するような効果のある格子点である。
【００２３】
ここで、図５は、通常モードにて用いられる格子点と、トナーセーブモードにて用いられる格子点との違いを説明する図である。第２色変換部１０３は、通常モードにおいては、図中左側に図示したように、ＤＬＵＴにおいて色情報Ｌ*，ａ*，ｂ*に対応する局所領域を求め、さらに、図中右側に図示したように、その局所領域において補間演算にてＹＭＣＫの格子点Ｘ１を求める。点線で示した矢印は、補完演算によってＹＭＣＫの格子点Ｘ１を求める場合をしている。一方、トナーセーブモードにおいて、第２色変換部１０３は、通常モードと同様にＤＬＵＴにて色情報Ｌ*，ａ*，ｂ*に対応する局所領域を求めて、さらにその局所領域において補間演算にてＹＭＣＫの格子点を求めるわけだが、格子点の値そのものが通常モードとは異なっており、このとき求めたＹＭＣＫの格子点Ｘ２は、格子点Ｘ１よりも彩度が小さく、且つ、明度が大きくなる。図５において、格子点Ｘ１から延びる矢印ｐは彩度が小さい方向を意味しており、また、その矢印ｐから延びる矢印ｑは明度が大きい方向を意味している。このようにして、トナーセーブモードにおいては、ＲＧＢの色情報は、より大きいＬ*で、且つ、より小さいａ*ｂ*の色情報に変換されることになる。
【００２４】
また、この第２色変換部１０３は、所謂「墨入れ」と呼ばれる、ＵＣＲ（Under Color Removal）機能も備えている。ＵＣＲとは、有彩色であるＹ，Ｍ，Ｃの３原色を重ねることで表現されるグレー（灰色）成分をＫで置き換えることである。グレー成分のうちどの程度の量のＹ，Ｍ，ＣをＫで置き換えるかという置換の割合が、トナーセーブモードでは大きく、通常モードでは小さい。ＹＭＣＫのトータルのトナー量で考えると、ＵＣＲによる置換の割合が大きいほど、Ｋトナーの量が増える代わりに、それを上回る量のＹ，Ｍ，Ｃトナーの消費を削減することができる。よって、第２色変換部１０３は、トナーセーブモードでは、通常モードよりも、グレー成分からＫへの置換の割合を大きくする。
そして、この第２色変換部１０３の変換によって得られたＹＭＣＫの色情報は、画像形成部１０４へ出力される。画像形成部１０４は、この色情報に対して階調補正やスクリーン処理などの処理を施してから、用紙などの記録媒体にトナー像を形成する。
【００２５】
以上説明した実施形態によれば、この色情報の変換によって、上記画像信号によって表わされる色が、画像形成部１０４により用いられるトナーの色（Ｙ，Ｍ，Ｃ，Ｋ）に対応する色空間における一次色である場合には、上記画像信号によって表わされる色が上記色空間における多次色である場合よりも、トナーの消費量の抑制率乃至抑制量が大きくなるような色情報へと変換する。
【００２６】
なお、上述した実施形態では、第１色変換部１０２は、多次色用係数ａ11〜ａ19よりも値が大きい一次色用係数ａ11〜ａ19を用いると共に、多次色用係数ａ21〜ａ29及び係数ａ31〜ａ39よりも値が小さい一次色用係数ａ21〜ａ29及び係数ａ31〜ａ39を用いていた。
これに限らず、第１色変換部１０２は、一次色と多次色で同じ係数ａ11〜ａ19、ａ21〜ａ29及び係数ａ31〜ａ39を用いてマトリクス演算し、一次色の場合には、その演算結果のＬ*に予め決められた定数を加えて明度を高くする一方、その演算結果のａ*，ｂ*に対しては予め決められた定数を加えて彩度を低くするようにしてもよい。
ここで、図６は、ＲＧＢの色情報をＬ*の色情報に変換するためのマトリクス演算回路１０２-4の構成を示す図である。
図６に示すように、Ｌ*用のマトリクス演算回路１０２-4は、それぞれ８ビットのＲ，Ｇ，Ｂの階調値を各々二乗する３つの乗算器１０２-4ａと、Ｂの階調値とＧの階調値、Ｇの階調値とＲの階調値、Ｒの階調値とＢの階調値をそれぞれ乗算する３つの乗算器１０２-4ｂと、Ｒ，Ｇ，Ｂの階調値、乗算器１０２-4ａの乗算結果及び乗算器１０２-4ｂの乗算結果のそれぞれに対して係数ａ11〜ａ19を乗算する９つの乗算器１０２-4ｃと、乗算器１０２-4ｃの乗算結果に加えて定数Ｃ１（Ｃ１＞０）を全て加算する加算器１０２-4ｄと、加算器１０２-1ｄの加算結果を丸めて８ビットの色情報Ｌ*として出力する丸め器１０２-4ｅとを備えている。また、ａ*用のマトリクス演算回路及びｂ*用のマトリクス演算回路は、図６の定数Ｃ１に代えて、係数ａ11〜ａ19の乗算結果からそれぞれ定数Ｃ２，Ｃ３を加算する（Ｃ２＜０，Ｃ３＜０）。
【００２７】
これらのマトリクス演算回路による演算を行列式にまとめると、（Ｂ）式のようになる。
【数２】
2009033341.tif 000004
【００２８】
また、第１色変換部１０２および第２色変換部１０３は、明度を高く且つ彩度を低くするような色変換を行っていたが、これをいずれ一方だけ、つまり、明度を高くする色変換、又は、彩度を低くするような色変換だけでもよい。また、第１色変換部１０２または第２色変換部１０３のいずれか一方のみがトナー量削減のための色変換を行ってもよい。
なお、画像を形成するときに用いる画形材は、「トナー」と呼ばれるものに限らず、画像を形成する材料となるものであればどのようなものでもよい。
【図面の簡単な説明】
【００２９】
【図１】本発明の実施形態に係る画像形成装置の構成を示すブロック図である。
【図２】ＲＧＢの色情報をＬ*の色情報に変換するためのマトリクス演算回路の構成を示す図である。
【図３】ＲＧＢの色情報をａ*の色情報に変換するためのマトリクス演算回路の構成を示す図である。
【図４】ＲＧＢの色情報をｂ*の色情報に変換するためのマトリクス演算回路の構成を示す図である。
【図５】Ｌ*ａ*ｂ*の色情報をＹＭＣＫの色情報に変換する際の仕組みを説明する図であるを。
【図６】変形例において、ＲＧＢの色情報をＬ*の色情報に変換するためのマトリクス演算回路の構成を示す図である。
【符号の説明】
【００３０】
１００  画像形成装置、１０１  画像読取部、１０２  第１色変換部、１０３  第２色変換部、１０４  画像形成部。
【図１】
2009033341.tif 000005
【図２】
2009033341.tif 000006
【図３】
2009033341.tif 000007
【図４】
2009033341.tif 000008
【図５】
2009033341.tif 000009
【図６】
2009033341.tif 000010